(57)【要約】【課題】一般的な眼鏡に対して簡単かつ容易に着脱自在に取り付けることができ、保湿器が汚れたり損傷したり場合にも、簡単に交換が可能で、取付の位置も必要に応じ自由に定めることができ、使い勝手が大幅に向上する眼鏡用保湿器を提供する。【解決手段】眼鏡に着脱自在に取り付けられる保湿器１０であって、上部開口１３を有し保湿部材Ｓを収容しかつ底部１４には透湿部１５が形成された箱状本体部１２からなる保持部１１と、前記保持部に固設され前記眼鏡の端縁部３１への差込み部２１を有する挟着部２０とを備える。【選択図】  図２
2010271647.tif 000002
【特許請求の範囲】
【請求項１】
眼鏡に着脱自在に取り付けられる保湿器であって、
上部開口を有し保湿部材を収容しかつ底部には透湿部が形成された箱状本体部からなる保持部と、前記保持部に固設され前記眼鏡の端縁部への差込み部を有する挟着部とを備えたことを特徴とする眼鏡用保湿器。
【請求項２】
フード部を有する眼鏡に着脱自在に取り付けられる保湿器であって、
上部開口を有し保湿部材を収容しかつ底部には透湿部が形成された箱状本体部からなる保持部と、前記保持部に固設され前記フード部の端縁部への差込み部を有する挟着部とを備えたことを特徴とする眼鏡用保湿器。
【請求項３】
前記挟着部が前記箱状本体部の上部開口縁部に形成された鍔部を介して固着されているとともに、その差込み部開口が前記保持部の上部開口側となるように配置されている請求項２に記載の眼鏡用保湿器。
【請求項４】
前記保持部の前記透湿部が複数並設された長穴部からなる請求項項１ないし３のいずれか１項に記載の眼鏡用保湿器。
【請求項５】
前記挟着部が軟質の合成樹脂材よりなる請求項１ないし４のいずれか１項に記載の眼鏡用保湿器。
【請求項６】
前記箱状本体部の上部開口内部の大きさが横５ｍｍ、縦１３ｍｍであり、底部までの深さが３ｍｍである請求項１ないし５のいずれか１項に記載の眼鏡用保湿器。
【発明の詳細な説明】
【技術分野】
【０００１】
この発明は、眼鏡用保湿器に関し、特には眼鏡に着脱自在に取り付けられる保湿器に関する。
【背景技術】
【０００２】
涙には眼球の表面に十分な湿度を保つと共に、雑菌の侵入や繁殖を防ぎ、さらに眼球表面の埃等を排出する効果がある。そして、ドライアイ等の症状によって涙量が減少すると、眼球が適度な湿度を保つことができなくなり、雑菌等の繁殖を抑えることができず、他の病気を併発し、眼の健康に大きな支障をきたすことになる。
【０００３】
ところで、従来から顔と眼鏡の間の空間を覆うフード部が付いたフード付眼鏡が知られている。これは、雑菌や埃又は花粉等のアレルギー物質等の眼への侵入を防ぐものであるが、保湿性がなく、眼球の乾燥を防ぐことができない。
【０００４】
このような点に鑑みて考案されたものとして、ドライアイ眼鏡用加湿器（特許文献１）が知られている。この発明は、眼鏡枠に形設された穴部に着脱自在の保水部材を収容したカートリッジ型の加湿器（保湿器）を嵌合するものである。保水部材には水分や薬剤をしみこませて、徐々に発散させ、眼球に水分を与えるものである。
【０００５】
また、本願の発明者はフード部両端の穴部に加湿具（保湿器）を差し込んで取り付けた形態の眼鏡（特許文献２）の意匠を創作している。
【０００６】
しかしながら、これらの眼鏡は保湿器を取り付けるための特定の構造を有しているので、特定の保湿器とその保湿器を装着するための取付構造を備えた眼鏡を必要とする。従って、保湿器を必要とするときには、当該保湿器を備えた眼鏡全体を購入しなければならず、経済的な負担がある。また、保湿器が汚れたり損傷したり場合には専用の同一構造の保湿器あるいは眼鏡全体を購入しなければならない。さらに、保湿器の取付位置が固定されるので、必要により保湿器の位置を変えたりすることができない。
【先行技術文献】
【特許文献】
【０００７】
【特許文献１】特許第４０５４４４２号公報
【特許文献２】意匠登録第１０６９２１４号公報
【発明の概要】
【発明が解決しようとする課題】
【０００８】
この発明は、上の点に鑑み、一般的な眼鏡やフード付眼鏡に対して簡単かつ容易に着脱自在に取り付けることができ、保湿器が汚れたり損傷したり場合にも、簡単に交換が可能で、取付の位置も必要に応じ自由に定めることができ、使い勝手が大幅に向上する眼鏡用保湿器を提供するものである。
【課題を解決するための手段】
【０００９】
すなわち、請求項１の発明は、眼鏡に着脱自在に取り付けられる保湿器であって、上部開口を有し保湿部材を収容しかつ底部には透湿部が形成された箱状本体部からなる保持部と、前記保持部に固設され前記眼鏡の端縁部への差込み部を有する挟着部とを備えたことを特徴とする眼鏡用保湿器に係る。
【００１０】
また、請求項２の発明は、フード部を有する眼鏡に着脱自在に取り付けられる保湿器であって、上部開口を有し保湿部材を収容しかつ底部には透湿部が形成された箱状本体部からなる保持部と、前記保持部に固設され前記フード部の端縁部への差込み部を有する挟着部とを備えたことを特徴とする眼鏡用保湿器に係る。
【００１１】
請求項３の発明は、前記挟着部が前記箱状本体の上部開口縁部に形成された鍔部を介して固着されているとともに、その差込み部開口が前記保持部の上部開口側となるように配置されている請求項１又は２に記載の眼鏡用保湿器に係る。
【００１２】
また、請求項４の発明は、前記保持部の前記透湿部が複数並設された長穴部からなる請求項１ないし３のいずれか１項に記載の眼鏡用保湿器に係る。
【００１３】
さらに、請求項５の発明は、前記挟着部が軟質の合成樹脂材よりなる請求項１ないし４のいずれか１項に記載の眼鏡用保湿器に係る。
【００１４】
請求項６の発明は、前記箱状本体部の上部開口内部の大きさが横５ｍｍ、縦１３ｍｍであり、底部までの深さが３ｍｍである請求項１ないし５のいずれか１項に記載の眼鏡用保湿器に係る。
【発明の効果】
【００１５】
請求項１の発明に係る眼鏡用保湿器は、眼鏡に着脱自在に取り付けられる保湿器であって、上部開口を有し保湿部材を収容しかつ底部には透湿部が形成された箱状本体部からなる保持部と、前記保持部に固設され前記眼鏡の端縁部への差込み部を有する挟着部とを備えたことを特徴とすることより、一般的な眼鏡に対して簡単かつ容易に着脱自在に取り付けることができ、何ら特別な構造の眼鏡を必要としないので経済的である。また、保湿器が汚れたり損傷したり場合にも、簡単に交換が可能で、取付の位置も必要に応じ自由に定めることができ、使い勝手が大幅に向上する。
【００１６】
請求項２の発明に係る眼鏡用保湿器は、フード部を有する眼鏡に着脱自在に取り付けられる保湿器であって、上部開口を有し保湿部材を収容しかつ底部には透湿部が形成された箱状本体部からなる保持部と、前記保持部に固設され前記フード部の端縁部への差込み部を有する挟着部とを備えたことを特徴とすることより、一般的なフード付眼鏡に対して簡単かつ容易に着脱自在に取り付けることができ、何ら特別な構造の眼鏡を必要としないので経済的である。また、保湿器が汚れたり損傷したり場合にも、簡単に交換が可能で、取付の位置も必要に応じ自由に定めることができ、使い勝手が大幅に向上する。
【００１７】
請求項３の発明に係る眼鏡用保湿器は、請求項１又は２において、前記挟着部が前記箱状本体の上部開口縁部に形成された鍔部を介して固着されているとともに、その差込み部開口が前記保持部の上部開口側となるように配置されているので、挟着部が強固に形成され、かつ眼鏡の狭い場所に対しても保湿器の取付を確実に行うことができる。
【００１８】
また、請求項４の発明に係る眼鏡用保湿器にあっては、請求項１ないし３のいずれかのにおいて、前記保持部の前記透湿部が複数並設された長穴部からなるので、透湿効果が高い。
【００１９】
さらに、請求項５の発明に係る眼鏡用保湿器にあっては、請求項１ないし４のいずれかにおいて、前記挟着部が軟質の合成樹脂材よりなるので、なんら特別な挟着構造を必要とすることなく、軟質合成樹脂材の弾性力によってフード部に対する保湿器の取付を確実に行うことができる。
【００２０】
請求項６の発明の発明に係る眼鏡用保湿器にあっては、請求項１ないし５のいずれかにおいて、前記箱状本体部の上部開口内部の大きさが横５ｍｍ、縦１３ｍｍであり、底部までの深さが３ｍｍであるので、極めて小型でシンプルな構造の保湿器を提供することができる。
【図面の簡単な説明】
【００２１】
【図１】図１はこの発明の保湿器を眼鏡のフード部に取り付けた状態の斜視図である。
【図２】図２はこの発明の一実施例を表す保湿器の全体斜視図である。
【図３】図３は図２の保湿器の底面側から見た斜視図である。
【図４】図４は実施例の保湿器を眼鏡のフード部に取り付けた状態の断面図である。
【発明を実施するための形態】
【００２２】
図１に図示したように、この発明は、眼鏡Ｇに着脱自在に取り付けられる保湿器１０に関する。図１の実施例では請求項２として規定したフード部３０を有する眼鏡Ｇが示されるが、フード部を有しない眼鏡、またはフード部を有しない眼鏡にフード部材を後付けで装着したものにもこの発明に保湿器１０は使用できるものである。
【００２３】
図２ないし図４の各図から容易に理解されるように、この発明の保湿器１０は保持部１１と狭着部２０とを備える。保持部１１は、上部開口１３を有し保湿部材Ｓを収容しかつ底部１４には透湿部１５が形成された箱状本体部１２からなる。また、狭着部２０は、前記保持部１１に固設され前記眼鏡の本体部（図示せず）またはフード部３０の端縁部３１への差込み部２１を有する。
【００２４】
この実施例では、図示されかつ請求項３の発明として規定されるように、前記挟着部２０が前記箱状本体部１２の上部開口１３縁部に形成された鍔部１９を介して固着されており、挟着部２０が保持部１１とともに強固に形成されている。また、その差込み部２１の開口２２が前記保持部１１の上部開口１３側となるように配置されているので、眼鏡と顔の間の狭い場所に対しても該保湿器１０の取付を確実に行うことができるように構成されている。
【００２５】
保持部１１は上記の通り箱状本体部１２からなる。箱状本体部１２は保湿部材Ｓを収容するための部分で、この実施例では透明な合成樹脂成形品よりなる。上部開口１３は保湿部材Ｓの収容が簡単かつ容易なように開放された開口とされており、底部１４には眼球側へ水分を適度に蒸散して眼球表面に潤いを与えることができる透湿部１５が形成される。
【００２６】
図示の実施例では、請求項４の発明として規定したように、前記保持部１１の前記透湿部１５が複数並設された長穴部１６から構成されていて、高い透湿効果がある。図示の長穴部１６の幅は１ｍｍで長さは４ｍｍである。なお、前記透湿部１５としては、図示しないが、多孔部、格子部などであってもよい。
【００２７】
ちなみに、実施例の保湿器１０のサイズに言及すると、請求項６の発明として規定したように、前記箱状本体部１２の上部開口１３内部の大きさが横５ｍｍ、縦１３ｍｍであり、底部までの深さが３ｍｍである。極めて小型でシンプルな構造の保湿器１０である。
【００２８】
次に狭着部２０について説明すると、狭着部２０は、前記保持部１１に固設され前記眼鏡本体の端縁部（図示せず）又はフード部３０の端縁部３１への差込み部２１を有するものである。この差込み部２１は眼鏡本体又はフード部３０の端縁部３１への差込みが可能で挟着効果があればプラスチックあるいは金属などどのようなものでもよい。
【００２９】
この実施例では、請求項５の発明として規定したように、前記挟着部２０が軟質の合成樹脂材より構成されている。狭着部２０を公知の軟質合成樹脂材より構成することによって、なんら特別な挟着構造を必要とすることなく、該軟質合成樹脂材の弾性力によってフード部に対する保湿器の取付を確実に行うことができるのである。また、汎用性が高く、摩擦が大きいため外れにくい。さらに、弾性があるため、皮膚に触れても痛み等はない。なお、この例の差込み部２１の幅は１ｍｍで奥行きは５ｍｍである。
【符号の説明】
【００３０】
１０    眼鏡用保湿器
１１    保持部
１２    箱状本体部
１３    上部開口
１４    底部
１５    透湿部
２０    狭着部
２１    差込み部
３０    フード部
３１    端縁部
Ｓ    保湿部材
Ｇ    フード付眼鏡
【図１】
2010271647.tif 000003
【図２】
2010271647.tif 000004
【図３】
2010271647.tif 000005
【図４】
2010271647.tif 000006